(57)【要約】【課題】暗所であっても電気機器の所望の領域にアクセスし易い電気機器を提供する。【解決手段】機器本体および当該機器本体の少なくとも一部を覆う封止体を有し、内部に複数の電子部品３０を備えた電気機器において、光源Ｌから射出された光に基づき、所望の電子部品３０を照射する、或いは、所望の電子部品３０の存在を示す発光手段４０を備えている。【選択図】図２
2014199631.tif 000002
【特許請求の範囲】
【請求項１】
機器本体および当該機器本体の少なくとも一部を覆う封止体を有し、内部に複数の電子部品を備えた電気機器において、
光源から射出された光に基づき、所望の電子部品を照射する、或いは、所望の電子部品を認識することができる発光手段を備えた電気機器。
【請求項２】
前記光源が、少なくとも前記電気機器の電源の投入の有無を示すランプ部である請求項１に記載の電気機器。
【請求項３】
前記発光手段は、前記光源から射出された光がその一端である入射部から入射し、その他端である射出部から射出されて所望の電子部品を照射するライトガイド部材である請求項１または２に記載の電気機器。
【請求項４】
前記発光手段は、光を蓄えて発光する蓄光部材である請求項１または２に記載の電気機器。
【発明の詳細な説明】
【技術分野】
【０００１】
本発明は、壁面に設置される防災用又は防犯用の電気機器に関する。
【背景技術】
【０００２】
電気機器の一種として、壁面に設置される防災用又は防犯用の警報器がある。
このような電気機器は、機器本体および当該機器本体の少なくとも一部を覆う封止体を有し、電源の投入の有無を示す発光部を備え、機器本体および封止体で囲まれた空間の内部に、回路基板、端子台、電源部などの電子部品を備えていた。
【０００３】
尚、本発明における従来技術となる上述した電気機器は、一般的な技術であるため、特許文献等の従来技術文献は示さない。
【発明の概要】
【発明が解決しようとする課題】
【０００４】
このような電気機器は、暗所或いは薄暗い場所に設置する場合があった。このような場所で電気機器のメンテナンスや端子台への端子の接続作業を行おうとすれば、周辺環境の光量不足を補うため、例えば片手で懐中電灯を保持して電気機器の所望の領域を照らして明るくする必要があった。このとき、両手で作業することはできないため、非効率的であった。
【０００５】
従って、本発明の目的は、暗所であっても電気機器の所望の領域にアクセスし易い電気機器を提供することにある。
【課題を解決するための手段】
【０００６】
上記目的を達成するための本発明に係る電気機器は、機器本体および当該機器本体の少なくとも一部を覆う封止体を有し、内部に複数の電子部品を備えた電気機器であって、その第一特徴構成は、光源から射出された光に基づき、所望の電子部品を照射する、或いは、所望の電子部品を認識することができる発光手段を備えた点にある。
【０００７】
本構成によれば、発光手段が光源から射出された光を所望の電子部品に導くことができ、これにより、当該電子部品を照射する、或いは、所望の電子部品を認識することができる。従って、暗所であっても電気機器の所望の領域に容易にアクセスすることができるため、従来のように片手に懐中電灯を保持しながら作業する必要がなくなり、効率よく作業することができる。
【０００８】
本発明に係る電気機器の第二特徴構成は、前記光源を、少なくとも前記電気機器の電源の投入の有無を示すランプ部とした点にある。
【０００９】
本構成によれば、所望の電子部品を照射する、或いは、所望の電子部品を認識することができる光源として既設のランプ部を使用することができ、別途のランプなどを設ける必要がないため、構成を簡略化することができる。
【００１０】
本発明に係る電気機器の第三特徴構成は、前記発光手段を、前記光源から射出された光がその一端である入射部から入射し、その他端である射出部から射出されて所望の電子部品を照射するライトガイド部材とした点にある。
【００１１】
本構成によれば、入射部および射出部を有する、ある程度の長さを有するライトガイド部材を発光手段とすることができる。このようなライトガイド部材は、長さを変更したり、ある程度屈曲したりできるため、光源から離間した所望の電子部品まで光源からの光を導き易くなる。
【００１２】
本発明に係る電気機器の第四特徴構成は、前記発光手段を、光を蓄えて発光する蓄光部材とした点にある。
【００１３】
蓄光部材は、太陽や室内照明などの光源から射出された光を蓄えて暗所で発光することができる。
従って本構成によれば、蓄光部材を、所望の電子部品或いはその近傍に配設することにより、暗所であっても蓄光部材が発光するため、所望の電子部品を認識することができる。
【図面の簡単な説明】
【００１４】
【図１】電気機器の概要を示す斜視図である。
【図２】光源から射出された光に基づき、発光手段が所望の電子部品を照射する模式図である。
【発明を実施するための形態】
【００１５】
以下、本発明の実施形態を図面に基づいて説明する。
図１，２に示したように本発明の電気機器Ｘは、機器本体１０および当該機器本体１０の少なくとも一部を覆う封止体２０を有し、内部に複数の電子部品３０を備え、光源Ｌから射出された光に基づき、所望の電子部品３０を照射する、或いは、所望の電子部品３０の存在を示す発光手段４０を備えている。
【００１６】
電気機器Ｘは、壁面に設置する態様であればどのような機器であってもよい。当該壁面に設置する電機機器としては、例えば防災用又は防犯用の警報器が挙げられる。本実施形態では、電気機器Ｘとして、可燃性ガス（ＬＰガス）の漏洩を検知するガス警報器を屋内の壁面に設置する態様について説明する。当該電気機器Ｘの形状は特に限定されるものではないが、本実施形態では上面視で矩形状であり、厚板状（例えば１２×７×２．５ｃｍ）の形状を呈するものを例示する。
【００１７】
機器本体１０は回路基板を収容するものであり、底面１１と側面１２とを一体に形成して構成されている。即ち、底面１１および側面１２で囲まれた空間に回路基板が収容される。
【００１８】
封止体２０は、機器本体１０の少なくとも一部を覆う部材である。本実施形態では、封止体２０は、機器本体１０の全体を覆う第一封止体２０ａ、および、第一封止体２０ａの開口部２２を覆う第二封止体２０ｂを有する。
第一封止体２０ａには、電気機器Ｘの電源の投入の有無を示すランプ部２１を設けている。当該ランプ部２１は、電気機器Ｘの電源が投入されたときに点灯することで、使用者に電気機器Ｘが起動していることを示す。電気機器Ｘの電源が切られたときにはランプ部２１の点灯は消える。ランプ部２１は、例えばＬＥＤなどを備え、光を照射できる態様であれば特に限定されるものではない。
【００１９】
本実施形態のランプ部２１は、封止体２０の開口部（スイッチ開口部）２３から露出する光透過性の樹脂で成形したスイッチ体と、当該スイッチ体の対応する位置に回路基板に配設したＬＥＤ（図外）と、を備える。当該ＬＥＤが点灯すれば、ＬＥＤからの光がスイッチ体を透過して電気機器Ｘの外部から電気機器Ｘの電源が投入されたことを認識することができる。
【００２０】
回路基板には、例えばガス検知部、報知部、端子台３１などの電子部品３０が配設してある。図１には電子部品３０として、第二封止体２０ｂを離脱したときに開口部２２より露出する端子台３１のみを図示してある。
【００２１】
ガス検知部は、被検知ガスである可燃性ガス（ＬＰガス）を検知するものであればどのような態様であってもよく、例えば公知の半導体式センサ素子や接触燃焼式センサ素子などを設けたものを使用できる。
【００２２】
報知部は、ガス検知部からの信号を受けて警報を発するものであればどのような態様であってもよく、例えば圧電スピーカなどの音声を発する態様、或いは、ＬＥＤなどの光を発する態様などを使用することができる。
【００２３】
端子台３１は、外部からの接続端子を接続できる態様であればよく、第一封止体２０ａの開口部２２から露出するように回路基板に配設してある。外部からの接続端子を端子台３１に接続する場合には、例えば開口部２２を覆う第二封止体２０ｂを下方にスライド移動して端子台３１を露出させればよい。
【００２４】
本発明の電気機器Ｘは、光源Ｌから射出された光に基づき、所望の電子部品３０を照射する、或いは、所望の電子部品３０の存在を示す発光手段４０を備える。本実施形態では、光源Ｌをランプ部２１とし、所望の電子部品３０を端子台３１とする。また、発光手段４０は、光源Ｌ（ランプ部２１）から射出された光がその一端である入射部４１ａから入射し、その他端である射出部４１ｂから射出されて所望の電子部品３０（端子台３１）を照射するライトガイド部材４１とする場合について説明する。
【００２５】
ライトガイド部材４１は、例えば透明樹脂の内面反射を利用して、片側から入射した光を他方へ効率よく導く態様であればよい。
【００２６】
ライトガイド部材４１は、所望の長さを有しており、その長さや形状は自由に設定することができ、特に断線しない程度に湾曲させることができるように屈曲可能に構成すれば、所望の領域に光源Ｌからの光を導出することができる。従って、このようなことができるものであれば、どのような材料及び構造のものを用いてもよい。特に、ランプ部２１から射出された光を比較的減衰させることなく射出部４１ｂから射出できれば、エネルギー効率の観点から好ましい。
【００２７】
ライトガイド部材４１としては、例えば光を伝送する際に光の伝送路として用いる細いグラスファイバが挙げられ、高屈折率および低屈折率を有するものを組み合わせたものや、反射率の高い部材を用いたもの等を使用することができる。特にライトガイド部材４１の長手方向に対して垂直に交わる横断面の中心部（コア）を周辺部（クラッド）で取り囲む二重構造のものが好ましく、コアの屈折率がクラッドの屈折率よりも高いものが、比較的光信号を減衰させることなく送ることができる。
【００２８】
ライトガイド部材４１を構成する材料は、具体的には、光透過性を有し、かつ、変形可能なものであれば特に限定されないが、アクリル系樹脂、ウレタン系樹脂、ポリカーボネート系樹脂、シリコーン系樹脂（シリコン系樹脂）、ポリスチレン系樹脂、ポリイミド系樹脂、ポリメタクリル酸メチルのエラストマー、ウレタンアクリレートなどを使用できる。特に、耐久性の観点から、アクリル系樹脂およびウレタン系樹脂が好ましい。
【００２９】
ライトガイド部材４１は、上述したグラスファイバのような線状の態様に限らず、平板状、リング状などの態様であってもよい。
【００３０】
光源Ｌであるランプ部２１からの光が入射部４１ａからライトガイド部材４１に入射すると、入射光Ｌ１はライトガイド部材４１の導光部４１ｃにおける外面４１ｄの間で反射を繰り返しながらライトガイド部材４１内を伝搬してゆく。ライトガイド部材４１内の光Ｌ１は、射出部４１ｂより散乱光Ｌ２として外部に射出される。これにより、ランプ部２１からの光を、所望の電子部品３０（端子台３１）まで導くことができ、当該電子部品３０を照射することができる。これにより、暗所であっても電気機器Ｘの所望の領域に容易にアクセスすることができるため、効率よく作業することができる。
【００３１】
また、ライトガイド部材４１を、所望の長さを有し、屈曲可能に構成することで、所望の電子部品３０を照射する角度を自在に変更することができるため、他の電子部品などの影になり難い位置から所望の電子部品３０を照射できるように構成すれば、より効率よく作業することができる。
【００３２】
さらに、光源を、電気機器Ｘの電源の投入の有無を示すランプ部２１とし、ライトガイド部材４１を備えることで、所望の電子部品３０を照射する、或いは、所望の電子部品３０を認識することができる光源Ｌとして、別途のランプなどを設ける必要がないため、省電力の点でも好ましい。
【００３３】
ライトガイド部材４１は、電気機器Ｘ内に配設してもよいし、少なくともライトガイド部材４１の一部が、電気機器Ｘの表面から露出又は突出するように構成してもよい。
【００３４】
〔別実施の形態１〕
上述した実施形態では、光源Ｌをランプ部２１とした場合について説明したが、これに限定されるものではなく、例えばＬＥＤなどの光を発する報知部を光源Ｌとしてもよい。
【００３５】
光源Ｌは電源に接続されているときに光を照射するものでもよく、電源に接続されていなくても、事前に蓄えた電力によって、その電力を使用して光を照射するものでもよい。事前に蓄えた電力によって光を照射する場合には、例えばキャパシタなどの電力を蓄えることができる機構を備えていればよい。
【００３６】
〔別実施の形態２〕
上述した実施形態では、発光手段４０としてライトガイド部材４１を使用した場合について説明した。しかし、このような態様に限定されるものではなく、発光手段４０として光を蓄えて発光する蓄光部材（図外）を使用してもよい。
【００３７】
蓄光部材は、公知の蓄光塗料が塗られた金属、樹脂、シールなどの部材であれば、どのような態様であってもよい。蓄光部材は、ランプ部２１、ＬＥＤなどの光を発する報知部、太陽、室内照明などの光源Ｌから射出された光を蓄えて暗所で発光することができる。
【００３８】
よって、当該蓄光部材を、例えば端子台３１或いはその近傍に配設することにより、暗所であっても蓄光部材が発光するため、所望の電子部品３０（端子台３１）を認識することができる。
【産業上の利用可能性】
【００３９】
本発明は、壁面に設置される防災用又は防犯用の電気機器に利用できる。
【符号の説明】
【００４０】
Ｘ            電気機器
Ｌ            光源
１０          機器本体
２０          封止体
２１          ランプ部
３０          電子部品
４０          発光手段
４１          ライトガイド部材
４１ａ        入射部
４１ｂ        射出部
【図１】
2014199631.tif 000003
【図２】
2014199631.tif 000004